(57)【要約】【課題】収穫作業の状況の違い等にかかわらず、前照灯による良好な照明状態を維持することができるようにすることが望まれていた。【解決手段】機体前部に位置する運転部１１と、運転部１１を覆うキャビン１０と、運転部１１の機体前方側下方に位置する収穫部４と、機体前方を照明する前照灯装置４７とが備えられ、前照灯装置４７が、投光部材として独立して機能する複数の光源部を有するとともに、キャビン１０の前部の角部に位置する状態で備えられている。【選択図】図１
2019170258.tif 000002
【特許請求の範囲】
【請求項１】
機体前部に位置する運転部と、前記運転部を覆うキャビンと、前記運転部の機体前方側下方に位置する収穫部と、機体前方を照明する前照灯装置とが備えられ、
前記前照灯装置が、投光部材として独立して機能する複数の光源部を有するとともに、前記キャビンの前部の角部に位置する状態で備えられている収穫機。
【請求項２】
前記キャビンは、機体の左右方向一方側端部から他方側端部に亘る横幅を有し、
前記前照灯装置が前記キャビンの左右方向両側部に夫々備えられている請求項１に記載の収穫機。
【請求項３】
前記前照灯装置は、前記複数の光源部が上下方向に並ぶ状態で備えられている請求項１又は２に記載の収穫機。
【請求項４】
前記前照灯装置に方向指示器が組み込まれ、
前記方向指示器は、上下方向において、上下に隣り合う前記複数の光源部の間に設けられている請求項３に記載の収穫機。
【請求項５】
前記方向指示器が前記複数の光源部に対して左右方向外側に偏倚する状態で備えられ、
前記複数の光源部における前部投光面が前記方向指示器の前端部よりも機体前部側に位置している請求項４に記載の収穫機。
【請求項６】
前記前照灯装置に、前記複数の光源部及び前記方向指示器が組み込まれるケーシングが備えられ、
前記ケーシングのうち前記方向指示器の左右方向外側に凹部が形成され、
前記方向指示器の左右方向外側端部が、前記凹部を通して左右方向外側に対して露出している請求項５に記載の収穫機。
【請求項７】
前記前照灯装置は、上下に隣り合う前記複数の光源部のうち、上側に位置する上側光源部が、下側に位置する下側光源部よりも機体に近い位置を照射するように構成されている請求項３から６のいずれか１項に記載の収穫機。
【請求項８】
前記下側光源部が点灯し、前記上側光源部が消灯する第一照明状態と、前記下側光源部が消灯し、前記上側光源部が点灯する第二照明状態とに切り換え可能である請求項７に記載の収穫機。
【請求項９】
前記前照灯装置が、前記キャビンの前部の角部における下部に支持されている請求項８に記載の収穫機。
【請求項１０】
前記キャビンの前部に左右のフロントピラーが立設されるとともに、前記左右のフロントピラーに亘ってフロントガラスが設けられ、
前記前照灯装置が、前記フロントピラーに支持されている請求項１から９のいずれか１項に記載の収穫機。
【請求項１１】
前記前照灯装置が、前記フロントピラーよりも前側に位置する状態で支持されている請求項１０に記載の収穫機。
【請求項１２】
前記前照灯装置に、前記複数の光源部が組み込まれるケーシングが備えられ、
前記フロントピラーに支持されるステーが備えられ、
前記ステーに、前記複数の光源部及び前記ケーシングが支持されている請求項１０又は１１に記載の収穫機。
【請求項１３】
前記ステーに方向指示器が支持され、
前記複数の光源部及び前記方向指示器が前記ケーシングに組み込まれている請求項１２に記載の収穫機。
【請求項１４】
前記収穫部にて収穫された作物を機体後方上方に向けて搬送する作物搬送装置と、前記作物搬送装置にて搬送された作物を処理する作物処理装置とが備えられ、
前記作物搬送装置は、前記運転部の下方を通過する状態で備えられ、
前記収穫部が昇降可能に支持され、
前記前照灯装置は、昇降作動範囲の最大上昇位置に位置する前記収穫部よりも上方に位置している請求項１から１３のいずれか１項に記載の収穫機。
【請求項１５】
前記前照灯装置が、前記キャビンの左右方向両側端よりも左右方向外側へ張り出す状態で設けられている請求項１から１４のいずれか１項に記載の収穫機。
【発明の詳細な説明】
【技術分野】
【０００１】
本発明は、例えば、コンバインやトウモロコシ収穫機等のような収穫機に関し、詳しくは、機体前部にキャビンにて覆われた運転部が備えられている収穫機に関する。
【背景技術】
【０００２】
上記収穫機においては、夜間での作業や移動走行を行うために機体前部に前照灯が備えられている。そして、従来では、前照灯がキャビンの前面の下端部において機体左右方向の両側端よりも左右方向内方側に位置する状態で備えられていた（例えば、特許文献１参照）。
【先行技術文献】
【特許文献】
【０００３】
【特許文献１】特開２０１３−１５８２５９号公報
【発明の概要】
【発明が解決しようとする課題】
【０００４】
この種の収穫機では、植立作物を収穫するために機体前部に収穫部が備えられている。そして、運転部は、収穫部における収穫作業を目視し易いように、収穫部の後方上方位置に設けられるのが一般的である。収穫部は、植立している作物を収穫する際に、茎稈等が引っ掛かり堆積して塊状になって滞留するような場合がある。
【０００５】
しかし、上記従来構成では、前照灯がキャビン前面の低い位置に設けられることから、収穫部において茎稈屑が堆積して、前照灯が照射している箇所にまで積みあがることがあり、機体前方側の照明が良好に行われないおそれがある。又、前照灯は照射量を大きくするためにハロゲンランプ等が用いられることが多いが、このような前照灯は表面温度が高くなるので、堆積した作物が高温の熱によって焦げたりすることも考えられる。
【０００６】
そこで、収穫作業の状況の違い等にかかわらず、前照灯による良好な照明状態を維持することができるようにすることが望まれていた。
【課題を解決するための手段】
【０００７】
本発明に係る収穫機の特徴構成は、機体前部に位置する運転部と、前記運転部を覆うキャビンと、前記運転部の機体前方側下方に位置する収穫部と、機体前方を照明する前照灯装置とが備えられ、前記前照灯装置が、投光部材として独立して機能する複数の光源部を有するとともに、前記キャビンの前部の角部に位置する状態で備えられている点にある。
【０００８】
本構成によれば、前照灯装置が、キャビンの前面ではなく、キャビンの前部の角部に位置するので、収穫部において作物の茎稈屑等が引っ掛かり堆積するようなことがあっても、前照灯装置による照射範囲内にまで茎稈屑が盛り上がってくることはない。その結果、前照灯装置による機体前方の照明が阻害されることはなく、堆積した作物が前照灯装置に近づくこともない。又、前照灯装置は複数の光源部を有するので、例えば、各光源部の照射方向を異ならせて、機体に近い箇所を照射する、あるいは、機体から遠く離れた箇所を照射する等、作業状況に応じて使い分けることが可能となる。
【０００９】
従って、収穫作業の状況の違い等にかかわらず、前照灯装置による良好な照明状態を維持することができるようにすることが可能となった。
【００１０】
本発明においては、前記キャビンは、機体の左右方向一方側端部から他方側端部に亘る横幅を有し、前記前照灯装置が前記キャビンの左右方向両側部に夫々備えられていると好適である。
【００１１】
本構成によれば、運転者は機体の左右方向全幅にわたって設けられるキャビンから機体前方の収穫部による収穫作業の状況を目視することで、広い範囲にわたって作業を確認することができ、収穫作業が行い易い。前照灯は、幅広のキャビンの左右方向両側部に設けられるので、左右方向に広い範囲にわたり照射することができ、夜間に作業するときであっても、収穫作業の状況を確認し易い。
【００１２】
本発明においては、前記前照灯装置は、前記複数の光源部が上下方向に並ぶ状態で備えられていると好適である。
【００１３】
本構成によれば、複数の光源部が上下方向に並ぶ構成とすることで、前照灯装置の左右方向の幅をコンパクトな形状に収めることができる。又、キャビンの左右方向端部から外方側への突出量を少なくして、納屋等に格納するときに他物と干渉するおそれが少なくすることができる。
【００１４】
本発明においては、前記前照灯装置に方向指示器が組み込まれ、前記方向指示器は、上下方向において、上下に隣り合う前記複数の光源部の間に設けられていると好適である。
【００１５】
本構成によれば、複数の光源部と同じように電力供給が必要とされる方向指示器を前照灯装置に組み込むので、光源部と方向指示器とを近い位置に備えることができる。その結果、効率よく電力供給することができ、電気配線の設置を効率よく行える。又、複数の光源部の間の領域を利用して方向指示器を備えるので、上下方向の寸法をコンパクトにすることがきる。
【００１６】
本発明においては、前記方向指示器が前記複数の光源部に対して左右方向外側に偏倚する状態で備えられ、前記複数の光源部における前部投光面が前記方向指示器の前端部よりも機体前部側に位置していると好適である。
【００１７】
本構成によれば、方向指示器が複数の光源部よりも左右方向外側に寄っているから、方向指示器が点灯したときに、機体前方側から指示方向を確認しやすい。そして、光源部における投光面から投光された光が方向指示器によって遮られることなく、広い範囲にわたって照射されるので、漏れの少ない状態で運転者が作業状況を確認し易い。
【００１８】
本発明においては、前記前照灯装置に、前記複数の光源部及び前記方向指示器が組み込まれるケーシングが備えられ、前記ケーシングのうち前記方向指示器の左右方向外側に凹部が形成され、前記方向指示器の左右方向外側端部が、前記凹部を通して左右方向外側に対して露出していると好適である。
【００１９】
本構成によれば、方向指示器がケーシングの凹部を通して左右方向外側に露出するので、方向指示器が点灯したときに、機体前方側からだけでなく、機体横側方からも点灯状態を確認し易い。
【００２０】
本発明においては、前記前照灯装置は、上下に隣り合う前記複数の光源部のうち、上側に位置する上側光源部が、下側に位置する下側光源部よりも機体に近い位置を照射するように構成されていると好適である。
【００２１】
本構成によれば、上下方向に並ぶ複数の光源部の照射方向を異ならせることで、例えば、路上を移動走行しているときと、圃場で作業走行しているとき等の使用状況の違いに応じて使い分けることができ、しかも、上側光源部が機体に近い位置を照射することで、収穫部におけるできるだけ機体に近い位置を照明することができ、運転者が収穫装置における作業状況を目視で確認し易いものになる。
【００２２】
本発明においては、前記下側光源部が点灯し、前記上側光源部が消灯する第一照明状態と、前記下側光源部が消灯し、前記上側光源部が点灯する第二照明状態とに切り換え可能であると好適である。
【００２３】
本構成によれば、第一照明状態であれば、下側光源部だけが点灯し、上側光源部は消灯する。この第一照明状態は、例えば、路上走行中に対向車両がある場合に適している。第二照明状態であれば、上側光源部だけが点灯し、下側光源部は消灯する。この第二照明状態は、例えば、路上走行中に対向車両がなく前方側を遠くまで照らす場合に適している。このように使用状況の違いに応じて使い分けることで、必要とされる箇所を合理的に照射させることができ、使い勝手がよいものとなる。
【００２４】
本発明においては、前記前照灯装置が、前記キャビンの前部の角部における下部に支持されていると好適である。
【００２５】
本構成によれば、前照灯について、例えば、修理点検等の作業を機体外方側から行う場合、前照灯がキャビンの前部角部の低い位置に支持されているから、作業者が手を伸ばして作業を容易に行うことができる。
【００２６】
本発明においては、前記キャビンの前部に左右のフロントピラーが立設されるとともに、前記左右のフロントピラーに亘ってフロントガラスが設けられ、前記前照灯装置が、前記フロントピラーに支持されていると好適である。
【００２７】
本構成によれば、フロントガラスを支持するための強度メンバーであるフロントピラーを有効に利用して、前照灯装置を強固に支持することができる。
【００２８】
本発明においては、前記前照灯装置が、前記フロントピラーよりも前側に位置する状態で支持されていると好適である。
【００２９】
本構成によれば、前照灯が光を投光する際に、光源部における投光面から投光された光がフロントピラーによって遮られることなく、広い範囲にわたって照射させることができる。
【００３０】
本発明においては、前記前照灯装置に、前記複数の光源部が組み込まれるケーシングが備えられ、前記フロントピラーに支持されるステーが備えられ、前記ステーに、前記複数の光源部及び前記ケーシングが支持されていると好適である。
【００３１】
本構成によれば、ステーを用いて、複数の光源部とケーシングを支持するので、フロントピラーに対して特別な取付用の変形を加える等の煩わしい作業を行うことなく、前照灯装置を支持させることができる。
【００３２】
本発明においては、前記ステーに方向指示器が支持され、前記複数の光源部及び前記方向指示器が前記ケーシングに組み込まれていると好適である。
【００３３】
本構成によれば、ステーを利用して、複数の光源部に加えて方向指示器も支持させるようにしたので、方向指示器に対する専用の取付部材を設ける等の構成の複雑化を招くことなく、それらを合理的に支持することができる。
【００３４】
本発明においては、前記収穫部にて収穫された作物を機体後方上方に向けて搬送する作物搬送装置と、前記作物搬送装置にて搬送された作物を処理する作物処理装置とが備えられ、前記作物搬送装置は、前記運転部の下方を通過する状態で備えられ、前記収穫部が昇降可能に支持され、前記前照灯装置は、昇降作動範囲の最大上昇位置に位置する前記収穫部よりも上方に位置していると好適である。
【００３５】
本構成によれば、収穫部を昇降させて対地高さを変更することで、収穫作業状況に違いに応じて適切な高さに設定することができ、適切な作業を行える。収穫部を最も高い位置にまで上昇させても、前照灯は、そのときの収穫部よりも上方に位置するので、投光された光が収穫部によって遮られることなく、広い範囲にわたって照射させることができる。
【００３６】
本発明においては、前記前照灯が、前記キャビンの左右方向両側端よりも左右方向外側へ張り出す状態で設けられていると好適である。
【００３７】
本構成によれば、運転者がキャビンの前部を通して機体前方における収穫作業状況を目視で確認するときに、前照灯がキャビンの端部において左右方向外側へ張り出しているから、視界を遮ることがなく、広い範囲にわたって作業状況を確認し易い。
【図面の簡単な説明】
【００３８】
【図１】トウモロコシ収穫機の全体側面図である。
【図２】トウモロコシ収穫機の全体平面図である。
【図３】運転部の正面図である。
【図４】キャビン天井部の前部を示す背面図である。
【図５】前照灯装置の正面図である。
【図６】前照灯装置の側面図である。
【図７】前照灯装置の分解斜視図である。
【図８】ケーシングを外した状態の前照灯装置の側面図である。
【図９】前照灯装置の照明状態を示す側面図である。
【図１０】前照灯装置の照明状態を示す平面図である。
【発明を実施するための形態】
【００３９】
以下、本発明に係るトウモロコシ収穫機の実施形態について図面に基づいて説明する。
【００４０】
〔全体構成〕
図１，２に示すように、本発明に係るトウモロコシ収穫機は、向き固定の左右一対の前輪１と操向操作可能な左右一対の後輪２とを備えて走行機体３が構成されている。そして、走行機体３には、機体走行に伴って植立作物から包葉の内部に多数の種子を備えたトウモロコシ房状体を収穫する収穫部としての収穫装置４、収穫装置４にて収穫されたトウモロコシ房状体を機体後方上方に向けて搬送する作物搬送装置としての搬送コンベア６、搬送されたトウモロコシ房状体の包葉を剥き取る作物処理装置としての皮剥き装置７、包葉が剥き取られた後のトウモロコシ（収穫物）を貯留する貯留タンク８、走行機体３の下部であって前輪１と後輪２との間の前後中間部に位置する残稈処理装置９等が備えられている。
【００４１】
この実施形態では、機体の前後方向及び左右方向は次のように定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００４２】
走行機体３は、機体前部にキャビン１０によって上方が覆われる状態で運転部１１が備えられ、その運転部１１の後方に原動部１２が備えられている。原動部１２には、各部に動力を伝達するエンジン１３が備えられるとともに、それに付随する種々の装置が備えられている。
【００４３】
運転部１１の左側には、運転者が乗り降りするための昇降ステップ１６が備えられ、走行機体３における運転部１１の左後方側には、補助作業者が搭乗可能な作業者搭乗デッキ１７が備えられている。この作業者搭乗デッキ１７は、搬送コンベア６の左横側箇所及び皮剥き装置７の左横側箇所にわたって前後方向に長く延びる状態で設けられている。
【００４４】
収穫作業時には、前輪１の駆動により走行機体３を走行させ、収穫装置４で収穫したトウモロコシ房状体が搬送コンベア６によって機体後方上方に搬送され、皮剥き装置７によってトウモロコシ房状体から包葉が剥き取られたあとのトウモロコシが、貯留タンク８に貯留される。
【００４５】
貯留タンク８は、平面視で略矩形状に形成されるとともに、上部が開放された形状となっており、その開放された領域から収穫物を受け入れるようになっている。収穫時に圃場に残された茎稈は残稈処理装置９により細断処理される。
【００４６】
〔収穫装置〕
収穫装置４について説明する。
図２に示すように、収穫装置４は、横方向に並列する４列の導入経路１９が形成され、各々の導入経路１９を挟む位置に、左右一対の収穫ロール２０及びその上部に位置する左右一対の無端搬送チェーン２１を備えている。収穫ロール２０は、導入経路１９と平行する姿勢の回転軸芯を中心に回転自在に支持されている。周知の構成であるから詳述はしないが、前端位置に先細りのスクリュー部を備え、これより後方側の外周には複数の収穫羽根を備えている。無端搬送チェーン２１は、多数の突起２１Ａが形成されると共に、前部位置の前部スプロケット２２と後部位置の後部スプロケット２３とに巻回されている。
【００４７】
導入経路１９に茎稈が導入されると、収穫ロール２０の収穫羽根が茎稈を下方に引く力を継続的に作用させ、茎稈に房状に形成されているトウモロコシを案内プレート（図示せず）の上面に受け止めて、このトウモロコシ房状体を茎稈から引きちぎる形態で茎稈から分離する。
【００４８】
図１に示すように、複数の収穫ロール２０と複数の無端搬送チェーン２１との後方位置には収穫物を横方向の中央位置に移送するオーガ２４が備えられている。オーガ２４は、４列の導入経路１９にて夫々、植立茎稈から分離されたトウモロコシ房状体をスクリュー羽根体（図示せず）の送り作用により横方向の中央位置に移送させて、搬送コンベア６の搬送始端部に供給する。搬送コンベア６は、トウモロコシ房状体を後方の皮剥き装置７に向けて搬送する。搬送コンベア６は、搬送下手側のスプロケット３２と搬送上手側のスプロケット３３とに亘って無端回動チェーン３４が巻回され、無端回動チェーン３４に備えられた図示しない係止部材によってトウモロコシ房状体を係止搬送する。トウモロコシ房状体に含まれる茎稈屑は、送風ファン４０の作用によって排出ガイド３７を通して機体外方に排出される。収穫装置４は、左右向き軸芯Ｐ１周りで揺動昇降可能に機体に支持されている。そして、昇降用油圧シリンダ２５の伸縮作動によって設定作動範囲内で昇降操作可能に構成されている。
【００４９】
〔皮剥き装置〕
皮剥き装置７は、周知の構成であるから、詳述はしないが、ケーシングの内部に、機体前後方向に沿って延び、且つ、前後方向に沿う軸芯周りで回転する皮剥き用回転を横方向に並ぶ状態で備え、複数の回転移送体等によって、機体後方側にトウモロコシ房状体を案内しながら皮剥き用回転体によってトウモロコシ房状体の包葉を剥き取ることができる。包葉が剥き取られた後のトウモロコシは、貯留タンク８に貯留される。
【００５０】
皮剥き装置７の下方には、皮剥き装置７の皮剥き作業に伴って、剥き取られた包葉とそれに混入する脱粒した種子粒とを選別する揺動選別装置５９が備えられ、皮剥き装置７から落下してきた処理物を受け止めて、揺動運動によって機体前方側へ揺動移送させながら、篩い選別によって包葉と種子粒とに選別して、種子粒は下方に備えられた回収箱６０に回収し、包葉は機体下方に排出する。
【００５１】
〔運転部〕
図３に示すように、運転部１１には、運転座席２６と、運転座席２６の前方に位置する操縦塔２７と、運転座席２６の横側に位置する操作パネル部２８とが備えられている。操縦塔２７の上部にはステアリングホイール２９が備えられている。操作パネル部２８には、車速を変更操作する変速レバー３０、及び、収穫装置４、搬送コンベア６、皮剥き装置７等への動力伝達を入り切りするための作業クラッチレバー３１等が備えられている。
【００５２】
図２，３に示すように、運転部１１を覆うキャビン１０は、機体の左右方向一方側端部から他方側端部に亘る横幅を有する幅広に設けられている。キャビン１０の前部に左右のフロントピラー４１が立設されるとともに、左右のフロントピラー４１に亘ってフロントガラス４２が設けられている。フロントガラス４２は、上下方向及び左右方向の略全幅に亘って設けられ、運転座席２６に着座している運転者が、機体前方側を広い範囲に亘って目視できるように構成されている。
【００５３】
キャビン１０の前部の上部には、左右方向に間隔をあけて並ぶ状態で複数の作業灯４３が備えられている。この複数の作業灯４３については、詳述はしないが、機体前方箇所及び機体の左右両側の横外方箇所を照明するように構成されている。図４に示すように、キャビン１０の内部における天井部の前部１０Ａには、エンジン回転数や他の情報を表示するメータパネル４４の横側に作業灯スイッチ４５が備えられており、この作業灯スイッチ４５によって、作業灯４３の点灯消灯の切り換えを行うようになっている。尚、図４中、４６はワイパー（図示せず）を切り換え操作するワイパースイッチである。
【００５４】
〔前照灯装置〕
キャビン１０の前部の角部の下部に位置する状態で機体前方を照明する前照灯装置４７が備えられている。
具体的には、図３，５，６に示すように、前照灯装置４７は、キャビン１０の前部側の角部に位置する左右両側のフロントピラー４１に支持されている。又、前照灯装置４７は、フロントピラー４１よりも前側に位置する状態で支持されており、さらに、図３，５に示すように、前照灯装置４７は、キャビン１０の左右方向両側端よりも左右方向外側へ張り出す状態で設けられている。
【００５５】
前照灯装置４７は、図１に仮想線で示すように、収穫装置４を昇降作動範囲の最大上昇位置に位置させた場合であっても、前照灯装置４７がそのときの収穫装置４の位置よりも上方に位置する状態で設けられている。
【００５６】
図５，６，７に示すように、前照灯装置４７は、投光部材として独立して機能する複数の光源部Ｋとして、下側に位置する下側光源部４８と、上側に位置する上側光源部４９とが上下方向に並ぶ状態で備えられている。前照灯装置４７には、方向指示器５０が組み込まれている。方向指示器５０は、上下方向において、上下に隣り合う２個の光源部４８，４９の間に設けられている。光源部４８，４９は、図示はしないが、略球体状のケースの内部にハロゲンランプと、ハロゲンランプからの光を機体前方に向けて反射する反射板等を備えて構成されている。
【００５７】
図８に示すように、フロントピラー４１に側面視略Ｕ字形の板体からなる支持部材５１が一体的に連結されている。この支持部材５１にベース部材５２が一体的に連結されている。図７に示すように、ベース部材５２は上下方向に延びる板材からなり、このベース部材５２に対して、支持ブラケット５２ａを介して２個の光源部４８，４９が支持され、且つ、台座部５２ｂを介して方向指示器５０が支持されている。
【００５８】
図７に示すように、２個の光源部４８，４９と方向指示器５０とが組み込まれるケーシング５３が備えられている。ケーシング５３には、上下２個の光源部４８，４９が外方に臨むように挿通する２つの円形の挿通孔５４，５５と、方向指示器５０が外方に臨むように挿通する１つの矩形の挿通孔５６とが形成されている。そして、ケーシング５３とベース部材５２とが接続されて、前照灯装置４７の周囲が覆われている。すなわち、ケーシング５３とベース部材５２とで囲われる内部に、２個の光源部４８，４９と方向指示器５０とが組み込まれている。但し、２個の光源部４８，４９は挿通孔５４，５５を通して外方に臨む状態で設けられている。方向指示器５０は、挿通孔５６を通して多くの部分がケーシング５３の外方に露出している。ケーシング５３は、外周部がベース部材５２の外周部に重なり合うように接続され、複数箇所がボルトで連結されている。従って、この実施形態では、フロントピラー４１に一体的に支持される支持部材５１とベース部材５２とにより、２個の光源部４８，４９及びケーシング５３を支持するステーＳが構成されている。
【００５９】
方向指示器５０は、上下に並ぶ２個の光源部４８，４９に対して左右方向外側に偏倚する状態で備えられている。ケーシング５３のうち方向指示器５０が位置する側の左右方向外側に後方に向けて凹入する凹部６１が形成され、方向指示器５０の左右方向外側端部が、凹部６１を通して左右方向外側に対して露出している。
【００６０】
説明を加えると、図７に示すように、ケーシング５３には、上下２個の光源部４８，４９に対応する箇所に前方に向けて膨出する膨出部６２が形成されている。上下の膨出部６２夫々には光源部４８，４９が前後方向に挿通する円形の挿通孔５４、５５が形成されている。上下両側の膨出部６２の上下中間部における方向指示器５０が位置する側に、後方に向けて凹む凹部６１が形成されている。この凹部６１に方向指示器５０が前後方向に挿通する矩形状の挿通孔５６が形成されている。方向指示器５０がこの挿通孔５６を通して前方に向けて突出している。その結果、方向指示器５０の左右方向外側端部が、凹部６１を通して左右方向外側に向けて露出する状態となっている。
【００６１】
２個の光源部４８，４９における前部投光面４８Ａ，４９Ａは、挿通孔５４，５５を通して前部側に突出しており、図６に示すように、２個の光源部４８，４９における前部投光面４８Ａ，４９Ａが方向指示器５０の前端部よりも機体前部側に位置する構成となっている。
【００６２】
前照灯装置４７は、上下に隣り合う２個の光源部４８，４９のうち、上側に位置する上側光源部４９が、下側に位置する下側光源部４８よりも機体に近い位置を照射するように構成されている。具体的には、図９に示すように、前照灯装置４７は、上下方向に並ぶ２個の光源部４８，４９のうち、下側に位置する下側光源部４８が略水平方向に沿って光を照射するように投光方向が設定されており、機体から遠い位置を照射するように構成されている。これに対して、上側に位置する上側光源部４９は、前下がり方向に沿って光を照射するように投光方向が設定されており、機体に近い位置を照射するように構成されている。
【００６３】
上記各光源部４８，４９によって照射される光は、設定されている投光方向を中心として周囲に拡散される状態で照射される。その結果、図９に示すように、上下方向に所定角度で広がる照明範囲Ｗ１、Ｗ２を有し、且つ、図１０に示すように、左右方向にも所定角度で広がる照明範囲Ｗ３を有している。上述したように、上側光源部４９と下側光源部４８とは、側面視での投光方向（照明範囲の中心となる方向）が異なっている。従って、図９に示すように、下側光源部４８による照明範囲Ｗ１は、機体から遠い位置を照射するように設定されている。一方、上側光源部４９による照明範囲Ｗ２は、機体に近い位置を照射するように設定されている。
【００６４】
上側光源部４９と下側光源部４８とは、平面視で見た場合の光の照明範囲は略同じになるように設定されている。又、図１０に示すように、右側の上側光源部４９と左側の上側光源部４９とは、投光方向が同じ方向で且つ同じ角度の照明範囲になるように構成されている。下側光源部４８についても同様に、右側と左側とで同じ投光方向で且つ同じ角度の照明範囲になるように構成されている。
【００６５】
前照灯装置４７は、下側光源部４８が点灯し且つ上側光源部４９が消灯する第一照明状態と、下側光源部４８が消灯し且つ上側光源部４９が点灯する第二照明状態とに切り換え可能に構成されている。すなわち、第一照明状態では、下側光源部４８だけが点灯して機体から遠い位置だけを照射する状態となる。一方、第二照明状態では、上側光源部４９だけが点灯して機体に近い位置だけを照射する状態となる。
【００６６】
第一照明状態と第二照明状態との切り換えは、運転部１１における操縦塔２７の上部に設けられた前照灯スイッチ６３によって行われる。図示していないが、前照灯スイッチ６３は、前照灯装置４７を全消灯させるオフ状態と、第一照明状態に切り換える第一オン状態、第二照明状態に切り換える第二オン状態の夫々に切り換え操作可能に設けられている。
【００６７】
〔別実施形態〕
（１）上記実施形態では、ベース部材５２を支持部材５１に一体的に連結する構成としたが、この構成に代えて、ベース部材５２を支持部材５１に対して着脱可能にボルト連結する構成としてもよい。この構成では、支持部材５１が、２個の光源部及びケーシング５３を支持するステーＳを構成する。
【００６８】
（２）上記実施形態では、上下２個の光源部４８．４９が上下方向に並ぶ状態で備えられる構成としたが、この構成に代えて、光源部が上下方向に３個以上並ぶ構成としてもよく、複数の光源部が左右方向あるいは斜め方向に並ぶ状態で備えられる構成としてもよい。
本発明において、光源部とは、ハロゲンランプと、ハロゲンランプからの光を機体前方に向けて反射する反射板等を備えて構成されるものに限定されるものではない。例えば、ＬＥＤランプ等、独立して光を照射する構成を備えるものでよく、要するに、投光部材として独立して機能するものであればよく構成は限定されない。
【００６９】
（３）上記実施形態では、方向指示器５０が複数の光源部に対して左右方向外側に偏倚する状態で備えられる構成としたが、方向指示器５０が複数の光源部に対して上下方向に並ぶ状態で備えられる構成としてもよい。
【００７０】
（４）上記実施形態では、複数の光源部４８，４９における前部投光面４８Ａ，４９Ａが方向指示器５０の前端部よりも前部側に位置する構成としたが、前部投光面４８Ａ，４９Ａが方向指示器５０の前端部と同じ位置あるいは後部側に位置する構成としてもよい。
【００７１】
（５）上記実施形態では、前照灯装置４７がフロントピラー４１よりも前側に位置する状態で支持される構成としたが、この構成に代えて、前照灯装置４７がフロントピラー４１の横側に位置する状態で支持される構成としてもよい。
【００７２】
（６）上記実施形態では、前照灯装置４７が、キャビン１０の左右方向両側端よりも左右方向外側へ張り出す状態で設けられる構成としたが、この構成に代えて、前照灯装置４７が、キャビン１０の左右方向両側端よりも左右方向内側に収まる状態で設けられる構成としてもよい。
【００７３】
（７）上記実施形態では、前照灯装置４７に方向指示器５０が組み込まれる構成としたが、この構成に代えて、方向指示器５０が前照灯装置４７とは別の箇所に設けられる構成としてもよい。
【００７４】
（８）上記実施形態では、キャビン１０は、機体の左右方向一方側端部から他方側端部に亘る横幅を有し、前照灯装置４７がキャビン１０の左右方向両側部に夫々備えられる構成としたが、この構成に代えて、キャビン１０が機体の横幅よりも狭い形状であって、前照灯装置４７がキャビン１０の左右方向両側部に夫々備えられる構成でもよく、キャビン１０が機体の左右方向一方側端部から他方側端部に亘る横幅を有するが、前照灯装置４７がキャビン１０の左右方向一方側にのみ備えられる構成でもよい。
【産業上の利用可能性】
【００７５】
本発明は、トウモロコシ収穫機の他、コンバイン等の他の種類の収穫機にも適用することができる。
【符号の説明】
【００７６】
４          収穫部
６          作物搬送装置
７          作物処理装置
１０        キャビン
１１        運転部
４１        フロントピラー
４２        フロントガラス
４７        前照灯装置
４８        下側光源部
４９        上側光源部
５０        方向指示器
５３        ケーシング
Ｋ          光源部
Ｓ          ステー
【図１】
2019170258.tif 000003
【図２】
2019170258.tif 000004
【図３】
2019170258.tif 000005
【図４】
2019170258.tif 000006
【図５】
2019170258.tif 000007
【図６】
2019170258.tif 000008
【図７】
2019170258.tif 000009
【図８】
2019170258.tif 000010
【図９】
2019170258.tif 000011
【図１０】
2019170258.tif 000012